(57)【要約】【課題】天井化粧板の振動が取付フレームを介して建物躯体に伝播するのを防止でき、周辺への固体伝播を効果的に抑制すること。【解決手段】天井面１と平行に配置される振動板を兼ねる薄肉の天井化粧板５の裏面に加振器６が取り付けられると共に天井化粧板５の下面部５ｃが内装化粧面となっており、天井面１に取り付けられる取付フレーム３に天井化粧板５の内装化粧面の中央部分を下方に露出させる開口部１６が設けられているスピーカ機能付き天井材である。、天井化粧板５の外周部を保持する保持手段は、天井化粧板５の外周部の下面部５ｃと取付フレーム３の内側上面部３ｂとの上下方向Ａに対向するそれぞれの位置に、互いに反発しあう向きに対向させて取り付けられる上下一対の磁石７,８からなる。両磁石７,８間の磁気反発力を利用して天井化粧板５を上記取付フレーム３と接触しない位置まで浮上させるように構成した。【選択図】図１
2010232924.tif 000002
【特許請求の範囲】
【請求項１】
被取付面となる天井面と平行に配置される振動板を兼ねる薄肉の天井化粧板の裏面に加振器が取り付けられていると共に天井化粧板の下面部が内装化粧面となっており、上記天井面に取り付けられる取付フレームに、上記天井化粧板の外周部を保持する保持手段が設けられると共に上記天井化粧板の内装化粧面の中央部分を下方に露出させる開口部が設けられてなるスピーカ機能付き天井材であって、上記保持手段は、上記天井化粧板の外周部の下面部と上記取付フレームの内側上面部との上下方向に対向するそれぞれの位置に、互いに反発しあう向きに対向させて取り付けられる上下一対の磁石からなり、両磁石間の磁気反発力を利用して上記天井化粧板を上記取付フレームと接触しない位置まで浮上させるように構成したことを特徴とするスピーカ機能付き天井材。
【請求項２】
上記天井化粧板の外周端面とこれに対向する取付フレームの内周面との間の横方向の隙間に、クッション性を有する緩衝部材を介在させたことを特徴とする請求項１記載のスピーカ機能付き天井材。
【請求項３】
上記天井化粧板の外周端面とこれに対向する取付フレームの内周面との横方向に対向するそれぞれの位置に、左右一対の第２磁石を互いに反発しあう向きに対向させて取り付けると共に、上記天井化粧板の上面部と取付フレームの内側下面部との上下方向に対向するそれぞれの位置に、上下一対の第３磁石を互いに反発しあう向きに対向させて取り付けてなることを特徴とする請求項１記載のスピーカ機能付き天井材。
【発明の詳細な説明】
【技術分野】
【０００１】
本発明は、スピーカ機能を有する天井材に関するものである。
【背景技術】
【０００２】
従来から、スピーカ筐体内部に振動板を収容し、振動板の裏面に取り付けた加振器にて該振動板を加振することで音響を発生させるスピーカ装置が知られている（例えば、特許文献１参照）。
【０００３】
この種のスピーカ装置では、振動板が音を発するときに空気に振動を伝えるが、その反作用としてスピーカ筐体自体も振動するため、この振動が固定しているものに対して伝わる固体伝播現象が問題となっている。特にスピーカ装置を天井面に直付けする取り付け構造にあっては、固体伝播により隣室や周辺空間に対して振動を伝え、その周辺空間にいる人に対して振動や共鳴等による音に起因する不快感を与えることがある。そのためスピーカ装置と天井面との間に振動吸収用部材を介在させる必要が生じるなど、スピーカ装置の取り付け構造が複雑になるという問題もある。
【先行技術文献】
【特許文献】
【０００４】
【特許文献１】特開平７−５９１９３号公報
【発明の概要】
【発明が解決しようとする課題】
【０００５】
本発明は上記の従来の問題点に鑑みて発明したものであって、その目的とするところは、振動板を兼ねる天井化粧板の振動が建物躯体側に伝播するのを防止でき、周辺への固体伝播を効果的に抑制することができるスピーカ機能付き天井材を提供することにある。
【課題を解決するための手段】
【０００６】
前記の課題を解決するために、本発明は、被取付面となる天井面１と平行に配置される振動板を兼ねる薄肉の天井化粧板５の裏面に加振器６が取り付けられていると共に天井化粧板５の下面部５ｃが内装化粧面となっており、上記天井面１に取り付けられる取付フレーム３に、上記天井化粧板５の外周部を保持する保持手段が設けられると共に上記天井化粧板５の内装化粧面の中央部分を下方に露出させる開口部１６が設けられてなるスピーカ機能付き天井材であって、上記保持手段は、上記天井化粧板５の外周部の下面部５ｃと上記取付フレーム３の内側上面部３ｂとの上下方向Ａに対向するそれぞれの位置に、互いに反発しあう向きに対向させて取り付けられる上下一対の磁石７,８からなる。両磁石７,８間の磁気反発力を利用して天井化粧板５を上記取付フレーム３と接触しない位置まで浮上させるように構成したことを特徴としている。
【０００７】
このような構成とすることで、天井建材としての本来の機能に加えて、加振器６付き天井化粧板５によってスピーカ機能を付加することができ、そのうえ、一対の磁石７,８を互いに反発しあう向きに取り付ける簡易な保持構造により、取付フレーム３内部で天井化粧板５を浮上させることができ、これにより取付フレーム３自体の振動を抑えることができ、天井化粧板５の振動が取付フレーム３を介して建物躯体に伝播するのを抑制できるようになる。
【０００８】
また、上記天井化粧板５の外周端面５ｂとこれに対向する取付フレーム３の内周面３ａとの間の横方向Ｂの隙間９に、クッション性を有する緩衝部材１５を介在させるのが好ましく、この場合、浮上状態で振動する天井化粧板５の横方向Ｂのふらつき動作を緩衝部材１５によって防止できるので、取付フレーム３自体の振動抑制効果を高めることができる。
【０００９】
また、上記天井化粧板５の外周端面５ｂとこれに対向する取付フレーム３の内周面３ａとの横方向Ｂに対向するそれぞれの位置に、左右一対の第２磁石１０,１１を互いに反発しあう向きに対向させて取り付けると共に、上記天井化粧板５の上面部５ａと取付フレーム３の内側下面部３ｃとの上下方向Ａに対向するそれぞれの位置に、上下一対の第３磁石１２,１３を互いに反発しあう向きに対向させて取り付けるのが好ましく、この場合、浮上状態で振動する天井化粧板５の横方向Ｂ或いは上下方向Ａのふらつき動作を第２磁石１０,１１の磁気反発力、第３磁石１２,１３の磁気反発力によってそれぞれ抑制でき、天井化粧板５の安定性が一層増し、天井化粧板５と取付フレーム３との接触、摩擦をより確実に回避できるようになる。
【発明の効果】
【００１０】
本発明は、上下一対の磁石間の磁気反発力を利用して天井化粧板を取付フレーム内部で浮上させることにより、取付フレーム自体の振動を抑えることができ、建物躯体への振動伝播が抑えられる結果、近隣の部屋や周辺空間に対する不快な振動、音の固体伝播を効果的に抑制できるものである。さらに、取付フレームとこれが取り付けられる建物躯体との間に振動吸収用の弾性部材などを介在させる必要がなくなり、取付構造を簡略化できるものである。
【図面の簡単な説明】
【００１１】
【図１】本発明の一実施形態のスピーカ機能付き天井材の側面断面図である。
【図２】同上の取付フレームの基枠部と天井化粧板の分解斜視図である。
【図３】本発明の他の実施形態の説明図である。
【発明を実施するための形態】
【００１２】
以下、本発明を添付図面に示す実施形態に基いて説明する。
【００１３】
図１は本実施形態のスピーカ機能付き天井材２の側面断面図である。本例の天井材２は天井面１から突出して取り付けられる飾り天井として用いられるが、これに限らず、天井面１の一部に埋め込まれる構成であってもよい。
【００１４】
本例の取付フレーム３は、扁平中空形状に形成され、下面には基枠部４で囲まれた開口部１６が設けられ、この開口部１６が放音口となっている。
【００１５】
上記取付フレーム３の内部には振動板を兼ねる天井化粧板５が収容されている。図２に示すように、天井化粧板５は矩形状に形成され、その裏面中央部に信号処理装置（図示せず）からの音響信号に応じて天井化粧板５を加振するための加振器６が取り付けられている。
【００１６】
上記天井化粧板５の下面部５ｃの外周部と取付フレーム３の基枠部４の内側上面部３ｂとに、それぞれ、上下一対の磁石７,８が互いに反発しあう向きに対向して取り付けられている。図２に示す例では、天井化粧板５の下面部５ｃの四辺に沿わせて一方の磁石７が取り付けられ、天井化粧板５の下面部５ｃよりも下方に位置する基枠部４の内側上面部３ｂに沿わせて他方の磁石８が取り付けられている。これら一対の磁石７,８は直方体の棒状磁石からなり、互いに対向する面が異なる磁極、つまりＮ極同士或いはＳ極同士となるように取り付けられており、磁石７,８間で生じる磁気反発力は加振器６付き天井化粧板５が取付フレーム３と接触しない位置まで浮上させることができる大きさに設定されている。
【００１７】
しかして、上記構成の天井材２によれば、天井建材としての本来の機能に加えて、スピーカ機能を付加することができ、さらに振動板を兼ねる天井化粧板５の下面部５ｂが内装化粧面となっているので、飾り天井としての外観性も得られる。
【００１８】
ここで、天井化粧板５を取付フレーム３内部に配置するにあたって、上下一対の磁石７,８間に発生する磁気反発力によって天井化粧板５が浮上して取付フレーム３と接触しない位置で振動して音を再生する方式を採用するので、取付フレーム３自体の振動が抑えられ、これにより天井化粧板５の振動が取付フレーム３を介して天井面１側に伝播するのを抑えることができ、近隣の部屋や周辺空間に対する不快な振動、音の固体伝播を抑制する効果が得られる。しかも、振動伝播を抑えるための振動吸収用の防振ゴムなどを取付フレーム３と天井面１との間に介在させる必要もないので、取付フレーム３の取付構造を簡略化できる効果も得られる。
【００１９】
また本例では、天井化粧板５の外周端面５ｂとこれに対向する取付フレーム３の内周面３ａとの間の横方向Ｂの隙間９にクッション性のある緩衝部材１５を設けている。ここでは緩衝部材１５としてエアーバックを使用している。このエアークッションにより、浮上状態で振動する天井化粧板５の横方向Ｂへのふらつき動作を防止でき、天井化粧板５の外周端面５ｂが取付フレーム３に接触摩擦することがなくなり、固体伝播抑制効果を一層高めることができる利点がある。
【００２０】
図３は更に他の実施形態であり、図１の実施形態の上下一対の磁石７,８（第１磁石）に加えて、第２磁石１０,１１と第３磁石１２,１３を設けたものである。本例では、天井化粧板５の外周端面５ｂとこれに対向する取付フレーム３の内周面３ａとの横方向Ｂに対向するそれぞれの位置に、左右一対の第２磁石１０,１１を互いに反発しあう向きに対向させて取り付けてある。さらに取付フレーム３の内周面３ａからは、天井化粧板５よりも上方位置から内方に向けて凸リブ２０を突設し、天井化粧板５の上面部５ａと凸リブ２０の内側下面部３ｃとの上下方向Ａに対向するそれぞれの位置に、上下一対の第３磁石１２,１３を互いに反発しあう向きに対向させて取り付けてある。なお、これら第２磁石１０,１１及び第３磁石１２,１３は、第１磁石７,８と同様、直方体の棒状磁石で構成するのが好ましい。しかして、第１磁石７,８によって浮上する天井化粧板５の横方向Ｂのふらつき動作を第２磁石１０,１１の磁気反発力によって抑制でき、さらに天井化粧板５の上下方向Ａのふらつき動作を第３磁石１２,１３の磁気反発力によって抑制でき、これにより天井化粧板５の上下左右の安定性が一層増し、天井化粧板５と取付フレーム３との接触、摩擦を確実に回避できるので、天井面１側への振動伝播をより一層抑制できる構造となる。
【００２１】
前記実施形態では、磁石７,８;１０,１１;１２,１３として永久磁石を例示したが、電磁石を用いることも可能である。
【符号の説明】
【００２２】
１  天井面
２  天井材
３  取付フレーム
３ａ  内周面
３ｂ  内側上面部
３ｃ  内側下面部
５  天井化粧板
５ａ  上面部
５ｂ  外周端面
５ｃ  下面部
６  加振器
７,８  第１磁石
９  横方向の隙間
１５  緩衝部材
１６  開口部
Ａ  上下方向
Ｂ  横方向
【図１】
2010232924.tif 000003
【図２】
2010232924.tif 000004
【図３】
2010232924.tif 000005